(57)【要約】【課題】  ドア上スペーサパネルの前後方向のぐらつきを容易に規制することができ、この種のパネルの取付け作業を容易にし、また、壁パネル裏側に間仕切り壁等が設置されても、一担取付けたドア上スペーサパネルを容易に取り外すことが可能なユニットルームのドア上スペーサパネルの取付構造を提供する。【解決手段】  壁パネルで挟まれたドア枠の上方に、ドア上スペーサパネルを設けたユニットルームの上記ドア枠と上記壁パネルで囲まれた空間に設置されるドア上スペーサパネルの取り付け構造であって、上記ドア上スペーサパネルの両側には取付片部を形成し、これら各取付片部には、少なくとも上下部に一対の略Ｌ字型取付溝を開設し、該取付溝に各壁パネル側に螺装されたねじ軸をスライドして嵌合係止させた後、該ねじを緊締して取り付けた【選択図】図１
2008240408.tif 000002
【特許請求の範囲】
【請求項１】
壁パネルで挟まれたドア枠の上方に、ドア上スペーサパネルを設け、そのドア上スペーサパネルの上端と壁パネルの上端とに天井パネルを取付けて構成されたユニットルームの上記ドア枠と上記壁パネルで囲まれた空間に設置されるドア上スペーサパネルの取り付け構造であって、上記ドア上スペーサパネルの両側には取付片部を形成し、これら各取付片部には、少なくとも上下部に一対の略Ｌ字型取付溝を開設し、該取付溝に各壁パネル側に螺装されたねじ軸をスライドして嵌合係止させた後、該ねじを緊締して取り付けることを特徴とするユニットルームの上スペーサパネルの取付構造。
【請求項２】
前記取付溝の導入辺部は、下がり勾配で傾斜して形成されていることを特徴とする請求項１に記載のユニットルームの上スペーサパネルの取付構造。
【発明の詳細な説明】
【技術分野】
【０００１】
この発明は、浴室ユニット等のユニットルームのドア上スペーサパネルの取付構造に係り、特に、ユニットルームにおける壁パネルで挟まれたドア枠の上方に、ドア上スペーサパネルを簡易に取付けることができるユニットルームの上スペーサパネルの取付構造に関する。
【背景技術】
【０００２】
一般に、ユニットルームの出入口であるドア本体の上方には、壁パネルで挟まれたドア枠上にドア上スペーサパネルを取付けている。
【０００３】
このドア上スペーサパネルの取付構造には、例えば、工場出荷時にドア上スペーサパネルをドア枠の上面に載置させ、両者をネジで固定した一体構造のものもあるが、一般には、ユニットルーム等を設置する施工現場において、壁パネルに挟まれて設置されたドア枠の上方にドア上スペーサパネルを載置して固定される。
【０００４】
具体的には、ドア本体がユニットルーム等のコーナー部に設置される場合には、ドア本体に直交して隣接される壁パネルの側端面に断面Ｌ形のドアジョイナーを固定しておき、この固定したドアジョイナーにネジを貫通させて、壁パネルとドア枠とを固定連結する。
【０００５】
そして、この固定連結されたドア枠の上に、箱状のドア上スペーサパネルを載置すると共に、複数のネジを壁パネル裏側からドアジョイナーを通じてドア上スペーサパネルの側面に螺着して、ドア上スペーサパネルをドアジョイナーに固定した後、ドア上スペーサパネルの上端を天井パネルに連結ネジ等で固定して取付ける構造にしているが、この構造では、壁パネル裏側のスペースが狭小な場合には、壁パネル側からネジの締付け作業が難しいだけでなく、例えば、ドア上スペーサパネルを設置後、パネル壁裏側に間仕切り壁等が設置された場合には、一担取付けたドア上スペーサパネルを取り外しできないという問題もあった。
【０００６】
かかる問題を解決するため、従来のこの種のパネルの取付構造の改良案として、例えば、特許文献１に示すものが公知である。この改良取付構造は、壁パネルで挟まれたドア枠の上方に、ドア上小壁を設け、そのドア上小壁の上端と壁パネルの上端とに天井パネルを取付けて構成されたユニットルームにおいて、上記ドア上小壁は、その両側端に、底片と立ち上がり片とで構成された一対のＬ字型固定具を介在させて上記ドア枠と上記壁パネルで囲まれた空間に設置されるようにした取り付け構造であって、上記ドア上小壁は、その下端と上記Ｌ字型固定具の底片とを、嵌合手段で固定し、かつ上記Ｌ字型固定具の上記立ち上がり片を直接上記壁パネルに取り付けるようにしたものである。
【０００７】
【特許文献１】特開２００６−２６６００１号公報
【発明の開示】
【発明が解決しようとする課題】
【０００８】
しかしながら、上記従来の改良構造にあっても、ドア上スペーサパネルを、横側で固定する構造ではないため、該パネルが前後にぐらつき易く、また、該パネルの取付作業は、比較的高い所で行うため、作業性が非常に悪く、さらに部品点数が多いため、作業が煩雑であり、コスト高となる、という問題を有していた。
【０００９】
この発明は、かかる現状に鑑み創案されたものであって、その目的とするところは、ドア上スペーサパネルの前後方向のぐらつきを容易に規制することができ、この種のパネルの取付け作業を容易にし、また、壁パネル裏側に間仕切り壁等が設置されても、一担取付けたドア上スペーサパネルを容易に取り外すことが可能なユニットルームのドア上スペーサパネルの取付構造を提供しようとするものである。
【課題を解決するための手段】
【００１０】
上記目的を達成するため、請求項１に記載のユニットルームのドア上スペーサパネルの取付構造にあっては、壁パネルで挟まれたドア枠の上方に、ドア上スペーサパネルを設け、そのドア上スペーサパネルの上端と壁パネルの上端とに天井パネルを取付けて構成されたユニットルームの上記ドア枠と上記壁パネルで囲まれた空間に設置されるドア上スペーサパネルの取り付け構造であって、上記ドア上スペーサパネルの両側には取付片部を形成し、これら各取付片部には、少なくとも上下部に一対の略Ｌ字型取付溝を開設し、該取付溝に各壁パネル側に螺装されたねじ軸をスライドして嵌合係止させた後、該ねじを緊締して取り付けることを特徴とするものである。
【００１１】
また、請求項２に記載の発明にあっては、請求項１に記載のユニットルームのドア上スペーサパネルの取付構造を技術的前提とし、前記取付溝の導入辺部は、下がり勾配で傾斜して形成されていることを特徴とするものである。
【発明の効果】
【００１２】
それ故、請求項１に記載の発明にあっては、ドア上スペーサパネルの前後方向のぐらつきを容易に規制することができ、この種のパネルの取付け作業を容易にし、また、壁パネル裏側に間仕切り壁等が設置されても、一担取付けたドア上スペーサパネルを容易に取り外すことができる。
【００１３】
また、請求項２に記載の発明にあっては、ドア上スペーサパネルの各取付溝にねじ軸をスムーズに垂直辺部に誘導し、嵌合係止することができる。
【発明を実施するための最良の形態】
【００１４】
以下、添付図面に示す発明の一実施形態例に基づき、この発明を詳細に説明する。
【００１５】
図１は、この発明の一実施形態例に係るユニットルームのドア上スペーサパネルの取付状態を示す斜視図を、図２は同ドア上スペーサパネルの左側取付片の取り付け構造を示す要部拡大説明図を、図３は同ドア上スペーサパネルの左側取付片を取り付けた状態を示す説明図を、図４は同ドア上スペーサパネルの右側取付片の取り付け構造を示す要部拡大説明図を、図５は同ドア上スペーサパネルの右側取付片を取り付けた状態を示す説明図を夫々示している。
【００１６】
この実施形態例に係るユニットバスルームにおけるコーナー部のドア本体を包囲するドア枠１の上部にドア上スペーサパネル３を取付ける構造を示している。
【００１７】
ドア上スペーサパネル３は、板金を折曲加工して形成され、該ドア上スペーサパネルの両側には取付片部４，４が折曲形成されており、これら各取付片部４，４には、少なくとも上下部に一対の略Ｌ字型取付溝５，５，‥を開設し、該取付溝５，５，‥に各壁パネル側に螺装されたねじ６，６，‥の各軸をスライドして嵌合係止させた後、該ねじ６，６，‥を緊締して取り付けるように構成されている。
【００１８】
各取付溝５，５，‥は、導入辺部７とこの導入辺部７の奥行き側と連通接続された垂直辺部８とから形成されており、該導入辺部７は、開放側に向かって下がり勾配で開設されている。尚、この発明にあっては、上記導入辺部７を水平に形成しても構わない。
【００１９】
また、上記ねじ６，６，‥の内、ドア上スペーサパネル３の左側取付片部４と係合するねじ６，６は、図２と図３に示すように、壁パネル９に固定されたドア枠１の左側横アングル２に開設されたねじ孔（図示せず）に螺装され、また、ドア上スペーサパネル３の右側取付片部４と係合するねじ６，６は、図４と図５に示すように、壁パネル１１に固定されたドア枠１の右側横アングル１０に開設されたねじ孔（図示せず）に螺装されている。尚、左右の横アングル２，１０は、各壁パネル９，１１にねじ止め固定される。
【００２０】
尚、ユニットルームの各壁パネル同士の固定や天井パネルの固定は、公知の取付構造を適用することが出来るので、ここではその詳細な説明を省略する。
【００２１】
それ故、このように壁パネル９、１１で挟まれて固定連結したドア枠１の上に、ドア上スペーサパネル３を取り付けるには、先ず、左右の横アングル２，１０に開設された上下一対のねじ孔にねじ６，６，‥を螺装し、ねじ軸が露呈した状態にセットする。
【００２２】
次に、ドア上スペーサパネル３の両側に折曲形成された取付片部４，４に形成されてなる各取付溝５，５，‥の各導入辺部７を上記各ねじ６，６，‥の軸に嵌合係止し、次に、ドア上スペーサパネル３を手放すと、該ドア上スペーサパネル３の自重でドア上スペーサパネル３が下降し、ねじ６，６，‥は上記各導入辺部７から垂直辺部８へと自動的にガイドされ、該垂直辺部８でドア上スペーサパネル３の前後左右のぐらつきが自動的に規制される。
【００２３】
この後、ぐらつきがない状態で、上記各ねじ６，６，‥を緊締することで、容易にドア上スペーサパネル３を上記ドア枠１と上記壁パネル９，１１で囲まれた空間に設置することができる。
【００２４】
尚、上記実施形態例では、この発明を、例えば、浴室ユニットルームを想定し説明したが、この発明にあってはこれに限定されるものではなく、各種組み立て式ユニットルームのドア上スペーサパネルの取り付けにも適用できること勿論である。
【図面の簡単な説明】
【００２５】
【図１】この発明の一実施形態例に係るユニットルームのドア上スペーサパネルの取付状態を示す斜視図である。
【図２】同ドア上スペーサパネルの左側取付片の取り付け構造を示す要部拡大説明図である。
【図３】同ドア上スペーサパネルの左側取付片を取り付けた状態を示す説明図である。
【図４】同ドア上スペーサパネルの右側取付片の取り付け構造を示す要部拡大説明図である。
【図５】同ドア上スペーサパネルの右側取付片を取り付けた状態を示す説明図である。
【符号の説明】
【００２６】
１  ドア枠
２  左側横アングル
３  ドア上スペーサパネル
４  取付片部
５，５，‥  取付溝
６，６，‥  ねじ
７  導入辺部
８  垂直辺部
９，１１  壁パネル
１０  右側横アングル
【図１】
2008240408.tif 000003
【図２】
2008240408.tif 000004
【図３】
2008240408.tif 000005
【図４】
2008240408.tif 000006
【図５】
2008240408.tif 000007